(57)【要約】【課題】小型化を図ることができる電球用ソケットおよび照明器具を提供する。【解決手段】ランプ挿入口２を有する略円筒形のボディ１と、このボディ１のランプ挿入口２と反対側の一側に設けた取付部３と、ボディ１の取付部３と反対側に設けた回り止め用突起４と、取付部３およびボディ１を結ぶ方向と直交する方向のボディ１の両側で直交する方向の外向きに突設された異極の電線接続部５、６とを備え、異極の電線接続部５、６は、ボディ１の中心を含み上記直交する方向に平行な中心線Ｂに対して相互にずれている。【選択図】  図１
2004253321.tif 000002
【特許請求の範囲】
【請求項１】
ランプ挿入口を有する略円筒形のボディと、このボディの前記ランプ挿入口と反対側の一側に設けた取付部と、前記ボディの前記取付部と反対側に設けた回り止め用突起と、前記取付部および前記ボディを結ぶ方向と直交する方向の前記ボディの両側で前記直交する方向の外向きに突設された異極の電線接続部とを備え、前記異極の電線接続部は、前記ボディの中心を含み前記直交する方向に平行な中心線に対して相互にずれていることを特徴とする電球用ソケット。
【請求項２】
前記取付部を下にして前記ランプ挿入口側から見て、前記取付部に近い側の電線接続部を左側に、遠い側の電線接続部を右側に配置した請求項１の電球用ソケット。
【請求項３】
前記取付部はスリットを有し、前記ボディを取付ける被取付部に前記スリットに挿通する取付片を有し、前記取付片は互いに反対方向に押し曲げることにより前記ボディを前記被取付部に固定する一対のかしめ用の立片を有する請求項１記載の電球用ソケット。
【請求項４】
前記立片のかしめ方向が前記電線接続部に接続する電線の接続方向と同じ方向である請求項３記載の電球用ソケット。
【請求項５】
接地側の前記電線接続部と電圧側の前記電線接続部を前記被取付部側に対して段設した請求項３記載の電球用ソケット。
【請求項６】
接地側の前記電線接続部を前記被取付部に近い側に、電圧側の前記電線接続部を前記被取付部に遠い側に配置した請求項５の電球用ソケット。
【請求項７】
接地側の前記電線接続部は送り配線が可能なように分岐端子を有する請求項１または請求項５の電球用ソケット。
【請求項８】
前記分岐端子が前記被取付部に近い側に配置されている請求項７記載の電球用ソケット。
【請求項９】
前記分岐端子を有する電線接続部は前記被取付部に対して縦に並び形成されている請求項７の電球用ソケット。
【請求項１０】
請求項１、請求項２、請求項３、請求項４、請求項５、請求項６、請求項７、請求項８または請求項９記載の電球用ソケットを備えた照明器具。
【発明の詳細な説明】
【０００１】
【発明の属する技術分野】
この発明は、電球を装着する電球用ソケットおよび照明器具に関するものである。
【０００２】
【従来の技術】
従来、ソケットの内部に接続される電線の引出し形態は、図８（ａ）に示すようにソケットの筒体５０の直径方向の両側より同一直線上に電線５１を引出すため電線引出部５２を互いに反対向きに設けたり、または図８（ｂ）に示すように筒体５０の片側から電線を同一方向へ引出すように電線引出部５３を並列していた。またそれぞれの電線の取付面からの高さは同一のものであった（特許文献１、２参照）。
【０００３】
またソケットの取付けにおいては、図８（ａ）のように取付部５４が２箇所のものや、図８（ｂ）および図８（ｃ）のように取付部５５が１箇所で回り止め部５６が１箇所のものであった（特許文献１〜３参照）。
【０００４】
【特許文献１】
実用新案登録第２５１２８９７号
【特許文献２】
特開平７−１２２３３９号
【特許文献３】
実用新案登録第２６０３５８１号
【０００５】
【発明が解決しようとする課題】
しかしながら、一対の電線接続端子が筒体の両側で反対向きに設けられたり、筒体の片側にまとめて並列していると収納スペースが大きくなってしまう欠点があった。またこれらの構成および取付部が２箇所のものは、円筒状ボディの投影面積外に大きく飛び出してしまうので、小型化が望まれた。
【０００６】
したがって、この発明の目的は、小型化を図ることができる電球用ソケットおよび照明器具を提供することである。
【０００７】
【課題を解決するための手段】
請求項１記載の電球用ソケットは、ランプ挿入口を有する略円筒形のボディと、このボディの前記ランプ挿入口と反対側の一側に設けた取付部と、前記ボディの前記取付部と反対側に設けた回り止め用突起と、前記取付部および前記ボディを結ぶ方向と直交する方向の前記ボディの両側で前記直交する方向の外向きに突設された異極の電線接続部とを備え、前記異極の電線接続部は、前記ボディの中心を含み前記直交する方向に平行な中心線に対して相互にずれていることを特徴とするものである。
【０００８】
請求項１記載の電球用ソケットによれば、異極の電線接続部を互いに反対方向となるようにボディの両側に突設すると共に、ボディの中心線に対して電線接続方向が互いにずれて配置されたため、従来と比べて小型化が図れる。
【０００９】
請求項２記載の電球用ソケットは、請求項１において、前記取付部を日田にして前記ランプ挿入口側から見て、前記取付部に近い側の電線接続部を左側に、遠い側の電線接続部を右側に配置したものである。
【００１０】
請求項２記載の電球用ソケットによれば、請求項１と同様な効果のほか、取付部に近い側の電線挿入穴を左側に配置したことにより電線に張力が加わっても取付部で受けるのでソケットの緩みが生じ難い。また取付部をねじ締めする場合、取付部とボディの中心線に対して、遠い側の電線接続部を右側に配置することにより回り止め部の遊びのガタに対して電線が引張られてもねじの締まる方向に回るので緩む恐れがない。
【００１１】
請求項３記載の電球用ソケットは、請求項１において、前記取付部がスリットを有し、前記ボディを取付ける被取付部に前記スリットに挿通する取付片を有し、前記取付片は互いに反対方向に押し曲げることにより前記ボディを前記被取付部に固定させる一対のかしめ用の立片を有するものである。
【００１２】
請求項３記載の電球用ソケットによれば、請求項１と同様な効果がある。
【００１３】
請求項４記載の電球用ソケットは、請求項３において、前記立片のかしめ方向が前記電線接続部に接続する電線の接続方向と同じ方向である。
【００１４】
請求項４記載の電球用ソケットによれば、請求項３と同様な効果のほか、かしめの方向を電線の挿入方向と同じ方向としたことにより左右夫々の接続電線の張力に対して強く、かしめ作業も行い易い。
【００１５】
請求項５記載の電球用ソケットは、請求項３において、接地側の前記電線接続部と電圧側の前記電線接続部を前記被取付部側に対して段設したものである。
【００１６】
請求項５記載の電球用ソケットによれば、請求項３と同様な効果がある。
【００１７】
請求項６記載の電球用ソケットは、請求項５において、接地側の前記電線接続部を前記被取付部に近い側に、電圧側の前記電線接続部を前記被取付部に遠い側に配置したものである。
【００１８】
請求項６記載の電球用ソケットによれば、請求項５と同様な効果のほか、接地側の電線接続部を取付板に近い側に、電圧側の電線接続部を取付板に遠い      側に配置したことにより、万一電線の芯線部が大きく露出した時、電圧側の電線接続部が距離がある方がより安全である。
【００１９】
請求項７記載の電球用ソケットは、請求項１または請求項５において、接地側の前記電線接続部は送り配線が可能なように分岐端子を有するものである。
【００２０】
請求項７記載の電球用ソケットによれば、請求項１または請求項５と同様な効果がある。
【００２１】
請求項８記載の電球用ソケットは、請求項７において、前記分岐端子が前記被取付部に近い側に配置されているものである。
【００２２】
請求項８記載の電球用ソケットによれば、請求項７と同様な効果のほか、分岐端子側が取付部に近い側に配置されているので、２本の送り電線に力がかかった時の力の受けに有利である。
【００２３】
請求項９記載の電球用ソケットは、請求項７において、前記分岐端子を有する電線接続部が前記被取付部に対して縦に並び形成されているものである。
【００２４】
請求項９記載の電球用ソケットによれば、請求項７と同様な効果のほか、分岐端子を取付面側に向かって縦に配置したことにより、横に配置した場合よりコンパクトに仕上がる。
【００２５】
請求項１０記載の照明器具は、請求項１、請求項２、請求項３、請求項４、請求項５、請求項６、請求項７、請求項８または請求項９記載の電球用ソケットを備えたものである。
【００２６】
請求項１０記載の照明器具によれば、請求項１、請求項２、請求項３、請求項４、請求項５、請求項６、請求項７、請求項８または請求項９と同様な効果がある。
【００２７】
【発明の実施の形態】
この発明の第１の実施の形態の図１から図７に基づいて説明する。すなわち、照明器具に用いる電球用ソケットは、ねじ込み式のソケットである。ボディ１は略円筒形で、内面にねじ部１２が形成されている。ランプ挿入口２と反対側の一側部にボディ取付部３を１つ張り出して設け、取付部３と反対側のボディ底面から外方に突出する回り止め用突起４を設けている。取付部３とボディ１の中心を通る線Ｃと直交する方向に異極の電線接続部５、６を互いに反対方向にボディ１から突出して形成している。これらの電線接続部５、６はボディ１の取付部３とボディ１の中心を通る線Ｃに対して直交するボディ１の直径方向の中心線Ｂに対して電線接続方向を平行にしたまま互いに反対向きに、ずらし距離Ｌ１ずれて配置されている。この場合、図２に示すように取付部３を下にしてランプ挿入口２側から見て、取付部３に近い（距離Ｇ）側の電線接続部５を左側に、遠い（距離Ｈ）側の電線接続部６を右側に配置している。
【００２８】
さらに電線接続部５を接地側とし電線接続部６を電圧側として板状の被取付部１１側に対して２段に段をなし、接地側の電線接続部５を被取付部１１に近い側に、電圧側の電線接続部６を被取付部１１より遠い側に配置している。被取付部１１から電線接続部５までの距離Ｅとし、電線接続部６までの距離Ｆとすると、図４に示すようにＥ＜Ｆである。このようにすると、図７に示すように電線接続部５、６から電線３１の芯線３１ａが露出した場合、被取付部１１に接触する電圧側は地絡に至るが、被取付部１１より距離Ｆをとっていることにより安全性が高まる。
【００２９】
さらに接地側の電線接続部５は送り配線が可能なように分岐端子１６を設けている。分岐端子１６側が被取付部１１に近い側に配置されている。この場合、分岐端子１６は電線接続部５の端子２０に対して被取付部１１側に向かって列をなすように縦に並設されている。
【００３０】
実施の形態において、取付部３を取付ける板状の取付片８は被取付部１１に切起こされ、取付片８の上端中央に凹部９を形成して二股をなす一対の立片７を形成し、立片７の外側に偏肉用凹部１０を形成している。これに対応して、取付部３は取付片８を挿通させるスリット１７を中央部に形成し、スリット１７の中央位置にねじ挿通穴１８を形成している。また取付部１のスリット１７の周囲に周壁３２を立設し、周壁３２を平面六角形をなすように形成し、例えば六角ナットまたはねじ頭部の収納部３３を形成している。そしてスリット１７の両端の延長上の周壁３２に溝１９を形成している。取付方法は、被取付部１１から切起された取付片８に取付部１のスリット１７を挿通し、取付片８の中央より互いに反対方向に押し広げることにより、偏肉用凹部１０で立片７が曲がって、ボディ１が被取付部１１にかしめ固定されてかしめ取付けされる（図３（ｃ））。このかしめの方向Ｄは電線の挿入方向と同じ方向で、取付部１およびボディ１の中心を取る線Ｃと直交している。かしめられて広がった立片７の先端が溝１９に嵌合する。
【００３１】
なお、被取付部１１には回り止め突起４が嵌合する位置決め孔３４が形成されている。またねじ挿通穴１８を有するため取付片８に代えてねじで被取付部１１に取付けることも可能である。
【００３２】
実施の形態の電線接続部５、６はボディ１に突出形成されて電線３０を挿通する電線挿通部２１、２２と、内部に位置する端子２３、２０および分岐端子１６からなる。端子２３、２０、１６は例えば速結端子により形成している。そして端子２３は導電部材によりランプ口金のアイレットに接触する中心接触片２６と一体に形成されている。端子２０は導電部材によりランプ口金に接触する側面接触片２７と一体に形成されている。２８は各導電部材をボディ１内に挿入した際にボディ１の係止部２９に抜止め係止する爪である。３０は電線挿通部２１、２２に形成した電線解除用穴である。
【００３３】
【発明の効果】
請求項１記載の電球用ソケットによれば、異極の電線接続部を互いに反対方向となるようにボディの両側に突設すると共に、ボディの中心線に対して電線接続方向が互いにずれて配置されたため、従来と比べて小型化が図れる。
【００３４】
請求項２記載の電球用ソケットによれば、請求項１と同様な効果のほか、取付部に近い側の電線挿入穴を左側に配置したことにより電線に張力が加わっても取付部で受けるのでソケットの緩みが生じ難い。また取付部をねじ締めする場合、取付部とボディの中心線に対して、遠い側の電線接続部を右側に配置することにより回り止め部の遊びのガタに対して電線が引張られてもねじの締まる方向に回るので緩む恐れがない。
【００３５】
請求項３記載の電球用ソケットによれば、請求項１と同様な効果がある。
【００３６】
請求項４記載の電球用ソケットによれば、請求項３と同様な効果のほか、かしめの方向を電線の挿入方向と同じ方向としたことにより左右夫々の接続電線の張力に対して強く、かしめ作業も行い易い。
【００３７】
請求項５記載の電球用ソケットによれば、請求項３と同様な効果がある。
【００３８】
請求項６記載の電球用ソケットによれば、請求項５と同様な効果のほか、接地側の電線接続部を取付板に近い側に、電圧側の電線接続部を取付板に遠い      側に配置したことにより、万一電線の芯線部が大きく露出した時、電圧側の電線接続部が距離がある方がより安全である。
【００３９】
請求項７記載の電球用ソケットによれば、請求項１または請求項５と同様な効果がある。
【００４０】
請求項８記載の電球用ソケットによれば、請求項７と同様な効果のほか、分岐端子側が取付部に近い側に配置されているので、２本の送り電線に力がかかった時の力の受けに有利である。
【００４１】
請求項９記載の電球用ソケットによれば、請求項７と同様な効果のほか、分岐端子を取付面側に向かって縦に配置したことにより、横に配置した場合よりコンパクトに仕上がる。
【００４２】
請求項１０記載の照明器具によれば、請求項１、請求項２、請求項３、請求項４、請求項５、請求項６、請求項７、請求項８または請求項９と同様な効果がある。
【図面の簡単な説明】
【図１】この発明の一実施の形態の電球用ソケットを示し、（ａ）は正面図、（ｂ）は平面図、（ｃ）は左側面図、（ｄ）は右側面図である。
【図２】拡大平面図である。
【図３】（ａ）は被取付部の平面図、（ｂ）は正面図、（ｃ）はかしめ状態の正面図である。
【図４】断面図である。
【図５】（ａ）は側面接触片の正面図、（ｂ）はその側面図、（ｃ）は平面図である。
【図６】（ａ）は中心接触片の正面図、（ｂ）はその平面図、（ｃ）は平面図である。
【図７】電線接続部に接続した電線の芯線が露出した状態の説明図である。
【図８】（ａ）は従来例の平面図、（ｂ）は他の従来例の斜視図、（ｃ）はさらに他の従来例の斜視図である。
【符号の説明】
１    ボディ
２    ランプ挿入口
３    取付部
４    回り止め用突起
５    電線接続部
６    電線接続部
７    立片
８    取付片
１１    被取付部
１６    分岐端子
１７    スリット
【図１】
2004253321.tif 000003
【図２】
2004253321.tif 000004
【図３】
2004253321.tif 000005
【図４】
2004253321.tif 000006
【図５】
2004253321.tif 000007
【図６】
2004253321.tif 000008
【図７】
2004253321.tif 000009
【図８】
2004253321.tif 000010